(57)【特許請求の範囲】
【請求項１】
スロットに収容され、ピットに貯留される用水を水密に封止するピットゲートにおいて、
ゲート本体と、
前記ゲート本体の前記スロットに対向する面に設けられ、前記ゲート本体と前記スロットとの間を水密に封止するシール部材と、
前記ゲート本体に設けられ、前記ゲート本体の自重によって、前記ゲート本体を前記シール部材側に移動させる押え金具と、を備え、
前記押え金具は、第２押え金具を有し、
前記第２押え金具は、
前記ゲート本体から水平方向に沿って突出して設けられる棒状の第２ゲート側押え部材と、
前記第２ゲート側押え部材に接触し、前記ゲート本体の前記シール部材が設けられる面とは反対側の面に対向する前記スロットに設けられる第２スロット側押え部材と、を有し、
前記第２スロット側押え部材は、鉛直方向の上方側から下方側に向かって厚くなるくさび形状に形成されることで、鉛直方向の上方側から下方側に向かって前記シール部材側に傾斜する第２スロット側傾斜面が形成され、
前記第２ゲート側押え部材は、前記第２スロット側傾斜面に接触することで、前記ゲート本体を前記シール部材側に移動させ、
前記ゲート本体の厚さ方向は、前記シール部材が設けられる面と、前記シール部材が設けられる側とは反対側の面とが対向する方向となっており、
前記第２ゲート側押え部材は、前記ゲート本体の厚さ方向の中央に対して、前記シール部材が設けられる側とは反対側に寄せて設けられ、
前記第２スロット側押え部材は、前記ゲート本体の前記シール部材が設けられる面とは反対側の面に対向する前記スロットと、前記ゲート本体の前記シール部材が設けられる面に対向する前記スロットとに、それぞれ設けられることを特徴とするピットゲート。
【請求項２】
前記シール部材は、前記スロット側に凸となる断面形状に形成されていることを特徴とする請求項１に記載のピットゲート。
【請求項３】
前記押え金具は、第１押え金具を有し、
前記第１押え金具は、
前記シール部材が設けられる面とは反対側の前記ゲート本体の面に設けられる第１ゲート側押え部材を有し、
前記第１ゲート側押え部材は、鉛直方向の上方側から下方側に向かって薄くなるくさび形状に形成されることで、鉛直方向の上方側から下方側に向かって前記シール部材側に傾斜する第１ゲート側傾斜面が形成されていることを特徴とする請求項１または２に記載のピットゲート。
【請求項４】
前記押え金具は、第３押え金具を有し、
前記第３押え金具は、
前記ゲート本体から鉛直方向の下方側に突出して設けられる第３ゲート側押え部材と、
前記第３ゲート側押え部材に接触し、前記スロットの底部に設けられる第３スロット側押え部材と、を有し、
前記第３スロット側押え部材は、鉛直方向の上方側から下方側に向かって厚くなるくさび形状に形成されることで、鉛直方向の上方側から下方側に向かって前記シール部材側に傾斜する第３スロット側傾斜面が形成され、
前記第３ゲート側押え部材は、前記第３スロット側傾斜面に接触することで、前記ゲート本体を前記シール部材側に移動させることを特徴とする請求項１から３のいずれか１項に記載のピットゲート。
【請求項５】
前記押え金具は、第１押え金具と、第３押え金具とを有し、
前記第１押え金具は、
前記シール部材が設けられる面とは反対側の前記ゲート本体の面に設けられる第１ゲート側押え部材を有し、
前記第１ゲート側押え部材は、鉛直方向の上方側から下方側に向かって薄くなるくさび形状に形成されることで、鉛直方向の上方側から下方側に向かって前記シール部材側に傾斜する第１ゲート側傾斜面が形成され、
前記第３押え金具は、
前記ゲート本体から鉛直方向の下方側に突出して設けられる第３ゲート側押え部材と、
前記第３ゲート側押え部材に接触し、前記スロットの底部に設けられる第３スロット側押え部材と、を有し、
前記第３スロット側押え部材は、鉛直方向の上方側から下方側に向かって厚くなるくさび形状に形成されることで、鉛直方向の上方側から下方側に向かって前記シール部材側に傾斜する第３スロット側傾斜面が形成され、
前記第３ゲート側押え部材は、前記第３スロット側傾斜面に接触することで、前記ゲート本体を前記シール部材側に移動させ、
前記第１ゲート側傾斜面、前記第２スロット側傾斜面及び前記第３スロット側傾斜面は、水平面に対する傾斜角度が、相互に同じ傾斜角度となっていることを特徴とする請求項１または２に記載のピットゲート。
【請求項６】
スロットに収容され、ピットに貯留される用水を水密に封止するピットゲートにおいて、
ゲート本体と、
前記ゲート本体の前記スロットに対向する面に設けられ、前記ゲート本体と前記スロットとの間を水密に封止するシール部材と、
前記ゲート本体に設けられ、前記ゲート本体の自重によって、前記ゲート本体を前記シール部材側に移動させる押え金具と、を備え、
前記押え金具は、第３押え金具を有し、
前記第３押え金具は、
前記ゲート本体から鉛直方向の下方側に突出して設けられる第３ゲート側押え部材と、
前記第３ゲート側押え部材に接触し、前記スロットの底部に設けられる第３スロット側押え部材と、を有し、
前記第３スロット側押え部材は、鉛直方向の上方側から下方側に向かって厚くなるくさび形状に形成されることで、鉛直方向の上方側から下方側に向かって前記シール部材側に傾斜する第３スロット側傾斜面が形成され、
前記第３ゲート側押え部材は、前記第３スロット側傾斜面に接触することで、前記ゲート本体を前記シール部材側に移動させ、
前記第３スロット側押え部材は、前記ゲート本体の前記シール部材が設けられる面とは反対側の面に対向する前記スロットと、前記ゲート本体の前記シール部材が設けられる面に対向する前記スロットとに、それぞれ設けられることを特徴とするピットゲート。
【請求項７】
前記ゲート本体は、鉛直方向の上方側から下方側に向かって山部及び谷部が交互に形成される波状の波状部材を有し、
前記波状部材は、鉛直方向の下方側に向かうにつれて、鉛直方向に隣接する前記山部同士の間のピッチが狭くなることを特徴とする請求項１から６のいずれか１項に記載のピットゲート。
【請求項８】
第１ピットと、
第２ピットと、
前記第１ピットと前記第２ピットとを接続する水路と、
前記水路に設けられるスロットと、
前記スロットに収容される、請求項１から７のいずれか１項に記載されたピットゲートと、を備えることを特徴とするピット設備。
【請求項９】
請求項８に記載のピット設備が設けられることを特徴とする原子力施設。
【請求項１０】
請求項９に記載のピット設備の前記スロットに、前記ピットゲートを設置するピットゲートの設置方法であって、
前記第１ピット、前記第２ピット及び前記水路に前記用水が満たされた状態において、水抜き予定となる前記第１ピット側または前記第２ピット側に、前記シール部材が設けられる面を向けて、前記スロットに前記ピットゲートを設置することを特徴とするピットゲートの設置方法。
【請求項１１】
前記第１ピット及び前記第２ピットは、フロア面から窪んで形成され、
前記ピットゲートは、スペーサを介して前記フロア面に固定され、
前記スペーサは、前記シール部材の前記スロット側への突出状態に応じて、高さが調整されることを特徴とする請求項１０に記載のピットゲートの設置方法。
【発明の詳細な説明】
【技術分野】
【０００１】
本発明は、ピットに貯留される用水を水密に封止するピットゲート、ピット設備、原子力施設及びピットゲートの設置方法に関するものである。
【背景技術】
【０００２】
従来、原子力発電所の原子炉建屋内部または隣接する建屋内に構築されたプール同士の間に設けられるカナル部に両プールを仕切って設けられるプールゲートが知られている（例えば、特許文献１参照）。このプールゲートは、プールのカナル部側壁面ないしはスロットに接するＵ字型のパッキンを有し、水圧による横方向荷重を受けている。このとき、パッキンは、屈伸型パッキンであり、加圧されることで、カナル部側壁面ないしはスロットに密着させられ、シール機能が働く。
【先行技術文献】
【特許文献】
【０００３】
【特許文献１】特開平１０−３３２８６９号公報
【発明の概要】
【発明が解決しようとする課題】
【０００４】
しかしながら、特許文献１のパッキンでは、圧力源による加圧を行わなければ、シール機能が働かないことから、プールゲートによるシール性を確保するためには圧力源が必要である。このため、合理性を高めるために、圧力源を必要としない、簡易な構成のピットゲートが考えられている。この場合、圧力源による加圧を行わないことから、ピットの水抜き前のゲートに水圧による横方向荷重が作用しない初期状態において、パッキンと壁面との密着性が低減し、シール性が低下する可能性がある。
【０００５】
そこで、本発明は、簡易な構成であっても、スロットに対して適切に密着させることができるピットゲート、ピット設備、原子力施設及びピットゲートの設置方法を提供することを課題とする。
【課題を解決するための手段】
【０００６】
本発明のピットゲートは、スロットに収容され、ピットに貯留される用水を水密に封止するピットゲートにおいて、ゲート本体と、前記ゲート本体の前記スロットに対向する面に設けられ、前記ゲート本体と前記スロットとの間を水密に封止するシール部材と、前記ゲート本体に設けられ、前記ゲート本体の自重によって、前記ゲート本体を前記シール部材側に移動させる押え金具と、を備えることを特徴とする。
【０００７】
この構成によれば、押え金具により、ゲート本体をシール部材側に移動させることができるため、シール部材をスロットに適切に密着させることができる。このため、ゲート本体とスロットとの間を、シール部材により水密に封止することができるため、ピットからの用水の漏出を抑制することができる。
【０００８】
また、前記シール部材は、前記スロット側に凸となる断面形状に形成されていることが好ましい。
【０００９】
この構成によれば、シール部材をスロットに密着させ易い形状にすることができる。
【００１０】
また、前記押え金具は、前記シール部材が設けられる面とは反対側の前記ゲート本体の面に設けられる第１ゲート側押え部材を有し、前記第１ゲート側押え部材は、鉛直方向の上方側から下方側に向かって薄くなるくさび形状に形成されることで、鉛直方向の上方側から下方側に向かって前記シール部材側に傾斜する第１ゲート側傾斜面が形成されていることが好ましい。
【００１１】
この構成によれば、鉛直方向の上方側から下方側に向かって、スロットにゲート本体を収容すると、ゲート本体は、第１ゲート側傾斜面によって、シール部材側に移動する。このため、押え金具により、ゲート本体をシール部材側に好適に移動させることができる。
【００１２】
また、前記押え金具は、前記ゲート本体から水平方向に沿って突出して設けられる棒状の第２ゲート側押え部材と、前記第２ゲート側押え部材に接触し、前記ゲート本体の前記シール部材が設けられる面とは反対側の面に対向する前記スロットに設けられる第２スロット側押え部材と、を有し、前記第２スロット側押え部材は、鉛直方向の上方側から下方側に向かって厚くなるくさび形状に形成されることで、鉛直方向の上方側から下方側に向かって前記シール部材側に傾斜する第２スロット側傾斜面が形成され、前記第２ゲート側押え部材は、前記第２スロット側傾斜面に接触することで、前記ゲート本体を前記シール部材側に移動させることが好ましい。
【００１３】
この構成によれば、鉛直方向の上方側から下方側に向かって、スロットにゲート本体を収容すると、ゲート本体の第２ゲート側押え部材が、第２スロット側押え部材の第２スロット側傾斜面に沿ってシール部材側に移動することで、ゲート本体が、シール部材側に移動する。このため、押え金具により、ゲート本体をシール部材側に好適に移動させることができる。
【００１４】
また、前記押え金具は、前記ゲート本体から鉛直方向の下方側に突出して設けられる第３ゲート側押え部材と、前記第３ゲート側押え部材に接触し、前記スロットの底部に設けられる第３スロット側押え部材と、を有し、前記第３スロット側押え部材は、鉛直方向の上方側から下方側に向かって厚くなるくさび形状に形成されることで、鉛直方向の上方側から下方側に向かって前記シール部材側に傾斜する第３スロット側傾斜面が形成され、前記第３ゲート側押え部材は、前記第３スロット側傾斜面に接触することで、前記ゲート本体を前記シール部材側に移動させることが好ましい。
【００１５】
この構成によれば、鉛直方向の上方側から下方側に向かって、スロットにゲート本体を収容すると、ゲート本体の第３ゲート側押え部材が、第３スロット側押え部材の第３スロット側傾斜面に沿ってシール部材側に移動することで、ゲート本体が、シール部材側に移動する。このため、押え金具により、ゲート本体をシール部材側に好適に移動させることができる。
【００１６】
また、前記押え金具は、前記ゲート本体の鉛直方向に亘って、所定の間隔を空けて複数設けられ、複数の前記押え金具は、第１押え金具と、第２押え金具と、第３押え金具と、を有し、前記第１押え金具は、前記シール部材が設けられる面とは反対側の前記ゲート本体の面に設けられる第１ゲート側押え部材を有し、前記第１ゲート側押え部材は、鉛直方向の上方側から下方側に向かって薄くなるくさび形状に形成されることで、鉛直方向の上方側から下方側に向かって前記シール部材側に傾斜する第１ゲート側傾斜面が形成されており、前記第２押え金具は、前記ゲート本体から水平方向に沿って突出して設けられる棒状の第２ゲート側押え部材と、前記第２ゲート側押え部材に接触し、前記ゲート本体の前記シール部材が設けられる面とは反対側の面に対向する前記スロットに設けられる第２スロット側押え部材と、を有し、前記第２スロット側押え部材は、鉛直方向の上方側から下方側に向かって厚くなるくさび形状に形成されることで、鉛直方向の上方側から下方側に向かって前記シール部材側に傾斜する第２スロット側傾斜面が形成され、前記第２ゲート側押え部材は、前記第２スロット側傾斜面に接触することで、前記ゲート本体を前記シール部材側に移動させており、前記第３押え金具は、前記ゲート本体から鉛直方向の下方側に突出して設けられる第３ゲート側押え部材と、前記第３ゲート側押え部材に接触し、前記スロットの底部に設けられる第３スロット側押え部材と、を有し、前記第３スロット側押え部材は、鉛直方向の上方側から下方側に向かって厚くなるくさび形状に形成されることで、鉛直方向の上方側から下方側に向かって前記シール部材側に傾斜する第３スロット側傾斜面が形成され、前記第３ゲート側押え部材は、前記第３スロット側傾斜面に接触することで、前記ゲート本体を前記シール部材側に移動させることが好ましい。
【００１７】
この構成によれば、鉛直方向の上方側から下方側に向かって、スロットにゲート本体を収容すると、ゲート本体は、第１ゲート側傾斜面、第２スロット側傾斜面及び第３スロット側傾斜面に沿ってシール部材側に移動する。このため、第１押え金具、第２押え金具及び第３押え金具により、鉛直方向に亘って、ゲート本体をシール部材側に好適に移動させることができる。
【００１８】
また、前記第１ゲート側傾斜面、前記第２スロット側傾斜面及び前記第３スロット側傾斜面は、水平面に対する傾斜角度が、相互に同じ傾斜角度となっていることが好ましい。
【００１９】
この構成によれば、第１ゲート側傾斜面、第２スロット側傾斜面及び第３スロット側傾斜面を同じ傾斜角度とすることで、ゲート本体の鉛直方向の移動量に対する、ゲート本体のシール部材側への移動量を、第１押え金具、第２押え金具及び第３押え金具において、同じ移動量とすることができる。このため、ゲート本体の鉛直方向に亘って、ゲート本体のスロット側への押付力を、均等にすることができる。
【００２０】
また、前記ゲート本体の厚さ方向は、前記シール部材が設けられる面と、前記シール部材が設けられる側とは反対側の面とが対向する方向となっており、前記第２ゲート側押え部材は、前記ゲート本体の厚さ方向の中央に対して、前記シール部材が設けられる側とは反対側に寄せて設けられることが好ましい。
【００２１】
この構成によれば、第２ゲート側押え部材を、第２スロット側押え部材側に近づけて配置することができるため、第２ゲート側押え部材のシール部材側への移動量を適切に確保することができる。
【００２２】
また、前記第２スロット側押え部材及び前記第３スロット側押え部材は、前記ゲート本体の前記シール部材が設けられる面とは反対側の面に対向する前記スロットと、前記ゲート本体の前記シール部材が設けられる面に対向する前記スロットとに、それぞれ設けられることが好ましい。
【００２３】
この構成によれば、シール部材が設けられる面と、シール部材が設けられる面の反対側の面とを入れ替えるように、スロットに対するゲート本体の位置を１８０°反転させる場合であっても、第１押え金具、第２押え金具及び第３押え金具により、ゲート本体をシール部材側に移動させることができる。このため、ゲート本体の位置を入れ替えることが可能となる。
【００２４】
また、前記第２押え金具は、前記ゲート本体の鉛直方向に亘って、所定の間隔を空けて複数設けられ、鉛直方向の上方側の前記第２ゲート側押え部材は、鉛直方向の下方側の前記第２ゲート側押え部材に比して、前記ゲート本体からの突出長さが長くなっており、鉛直方向の上方側の前記第２スロット側押え部材は、鉛直方向の下方側の前記第２スロット側押え部材に比して、前記ゲート本体に対して水平方向の外側に配置されることが好ましい。
【００２５】
この構成によれば、第２押え金具を、鉛直方向に亘って複数設ける場合であっても、第２押え金具同士の物理的な干渉を回避することができる。
【００２６】
また、前記ゲート本体は、鉛直方向の上方側から下方側に向かって山部及び谷部が交互に形成される波状の波状部材を有し、前記波状部材は、鉛直方向の下方側に向かうにつれて、鉛直方向に隣接する前記山部同士の間のピッチが狭くなることが好ましい。
【００２７】
この構成によれば、鉛直方向の下方側の水圧が上方側の水圧に比して高くなることから、鉛直方向の下方側におけるピッチを狭くすることで、水圧に好適に耐え得るゲート本体とすることができる。
【００２８】
本発明のピット設備は、第１ピットと、第２ピットと、前記第１ピットと前記第２ピットとを接続する水路と、前記水路に設けられるスロットと、前記スロットに収容される、上記のピットゲートと、を備えることを特徴とする。
【００２９】
この構成によれば、簡易な構成となるピットゲートを用いて、水路を水密に仕切ることができる。このため、第１ピット及び第２ピットのうち、一方のピットが水抜きされる場合であっても、用水が満たされる他方のピットから用水が漏出することを抑制することができる。
【００３０】
本発明の原子力施設は、上記のピット設備が設けられることを特徴とする。
【００３１】
この構成によれば、第１ピット及び第２ピットのうち、一方のピットが水抜きされる場合であっても、用水が満たされる他方のピットにおいて、原子力施設で用いられる燃料を好適に取り扱うことができる。
【００３２】
本発明のピットゲートの設置方法は、上記のピット設備の前記スロットに、前記ピットゲートを設置するピットゲートの設置方法であって、前記第１ピット、前記第２ピット及び前記水路に前記用水が満たされた状態において、水抜き予定となる前記第１ピット側または前記第２ピット側に、前記シール部材が設けられる面を向けて、前記スロットに前記ピットゲートを設置することを特徴とする。
【００３３】
この構成によれば、スロットに対するピットゲートの位置を、水抜き予定となる第１ピットまたは第２ピットに応じた位置にして、スロットに収容することで、簡単に水路を仕切ることができる。
【００３４】
また、前記第１ピット及び前記第２ピットは、フロア面から窪んで形成され、前記ピットゲートは、スペーサを介して前記フロア面に固定され、前記スペーサは、前記シール部材の前記スロット側への突出状態に応じて、高さが調整されることが好ましい。
【００３５】
この構成によれば、シール部材のスロット側への突出長さが短い場合には、スペーサの高さを低くすることで、スロットに対するピットゲートの高さ方向における移動量を大きくでき、これにより、シール部材側への移動量を大きくすることができる。このため、スペーサの高さを調整することで、シール部材の劣化具合に応じて、スロットへの密着性を調整することができる。
【図面の簡単な説明】
【００３６】
【図１】図１は、本実施例に係る原子力施設に設けられるピット設備を示す外観斜視図である。
【図２】図２は、本実施例に係るピットゲートの正面図である。
【図３】図３は、本実施例に係るピットゲートの側面図である。
【図４】図４は、シール部材の断面図である。
【図５】図５は、上部押え金具の正面図である。
【図６】図６は、上部押え金具の側面図である。
【図７】図７は、中間押え金具の正面図である。
【図８】図８は、中間押え金具の側面図である。
【図９】図９は、下部押え金具の正面図である。
【図１０】図１０は、下部押え金具の側面図である。
【図１１】図１１は、ピットゲートの設置方法に関する説明図である。
【発明を実施するための形態】
【００３７】
以下に、本発明に係る実施例を図面に基づいて詳細に説明する。なお、この実施例によりこの発明が限定されるものではない。また、下記実施例における構成要素には、当業者が置換可能かつ容易なもの、あるいは実質的に同一のものが含まれる。さらに、以下に記載した構成要素は適宜組み合わせることが可能であり、また、実施例が複数ある場合には、各実施例を組み合わせることも可能である。
【実施例】
【００３８】
図１は、本実施例に係る原子力施設に設けられるピット設備を示す外観斜視図である。本実施例のピット設備１０が設けられる原子力施設１は、燃料を格納したり、燃料の入れ替えを行ったりする施設であり、例えば、原子力発電プラントまたは再処理施設等がある。
【００３９】
ピット設備１０は、フロア面５から没して設けられており、用水が満たされている。この用水は、燃料を冷やす冷却材として機能すると共に、燃料から発生する中性子を減速する減速材として機能しており、例えば、水が用いられている。ピット設備１０は、満たした用水の中に、燃料が水没させられ、この状態で、燃料が取り扱われる。図１に示すように、ピット設備１０は、第１ピット１１と、第２ピット１２と、水路（カナルともいう）１３と、スロット１４と、ピットゲート１５と、を備えている。
【００４０】
第１ピット１１は、中空の直方体形状に形成されており、その一面に、水路１３の一端が接続されている。第１ピット１１は、第２ピット１２に比して、その容積が大きなものとなっている。第１ピット１１は、その内部が水密となるように、シール性を有するライニング材で覆われている。
【００４１】
第２ピット１２は、第１ピット１１と同様に、中空の直方体形状に形成されており、その一面に、水路１３の他端が接続されている。第２ピット１２は、第１ピット１１に比して、その容積が小さなものとなっている。第２ピット１２は、第１ピット１１と同様に、その内部が水密となるように、シール性を有するライニング材で覆われている。なお、第１ピット１１及び第２ピット１２は、上記の形状に限定されず、いずれの形状であってもよい。
【００４２】
水路１３は、その一端が第１ピット１１に接続され、その他端が第２ピット１２に接続されている。なお、水路１３が延在する方向、つまり、第１ピット１１と第２ピット１２とが対向する方向を長さ方向とし、鉛直方向（図１の上下方向）を高さ方向とし、長さ方向及び高さ方向に直交する方向を、幅方向とする。
【００４３】
水路１３は、第１ピット１１と第２ピット１２との間で燃料の移動が可能な大きさとなっており、高さ方向の下方側に形成される底面１３ａと、底面１３ａの幅方向の両側に形成される２つの側面１３ｂとによって形成されている。この水路１３は、第１ピット１１と第２ピット１２とを連通していることから、第１ピット１１及び第２ピット１２に満たされた用水が相互に流通することで、第１ピット１１に満たされる用水の水位と、第２ピット１２に満たされる用水の水位とが同じ高さとなる。
【００４４】
スロット１４は、水路１３に設けられており、ピットゲート１５を収容可能な空間となっている。スロット１４は、長さ方向に直交する断面において、水路１３よりも一回り大きく形成されている。すなわち、スロット１４は、水路１３の底面１３ａから窪んで形成される底面１４ａ（図２参照）と、底面１４ａの幅方向の両側に形成され、水路１３の２つの側面１３ｂから窪んで形成される２つの側面１４ｂ（図２参照）とを有している。また、スロット１４は、水路１３から窪んで形成されることで、底面１３ａの長さ方向の両側にＵ字状の２つの側面が形成され、このＵ字状の側面が、後述するピットゲート１５が密着するシール面１４ｃ（図２参照）となっている。つまり、２つのシール面１４ｃは、その一方が、スロット１４の第１ピット１１側の面となっており、その他方が、スロット１４の第２ピット１２側の面となっている。そして、２つのシール面１４ｃのそれぞれは、平坦面に形成されている。
【００４５】
次に、図２から図１０を参照して、ピットゲート１５について説明する。図２は、本実施例に係るピットゲートの正面図であり、図３は、本実施例に係るピットゲートの側面図である。図４は、シール部材の断面図である。図５は、上部押え金具の正面図であり、図６は、上部押え金具の側面図である。図７は、中間押え金具の正面図であり、図８は、中間押え金具の側面図である。図９は、下部押え金具の正面図であり、図１０は、下部押え金具の側面図である。
【００４６】
ピットゲート１５は、スロット１４に収容され、第１ピット１１及び第２ピット１２の一方が水抜きされることで、第１ピット１１及び第２ピット１２の他方からの水圧によって、水路１３を水密に仕切るものである。ここで、ピットゲート１５は、水路１３の長さ方向が厚さ方向となっており、水路１３の幅方向が幅方向となっており、水路１３の高さ方向が長手方向となっている。図２及び図３に示すように、ピットゲート１５は、ゲート本体２１と、シール部材２２と、上部押え金具（第１押え金具）２３と、２つの中間押え金具（第２押え金具）２４と、下部押え金具（第３押え金具）２５と、を有している。このとき、上部押え金具２３、２つの中間押え金具２４及び下部押え金具２５は、長手方向において、所定の間隔を空けて設けられている。
【００４７】
ゲート本体２１は、長手方向に長く形成され、長手方向が高さ方向となるように、スロット１４に収容される。ゲート本体２１は、ゲートフレーム３１と、ゲートフレーム３１の内部に設けられる波状部材３２とを含んで構成されている。
【００４８】
ゲートフレーム３１は、波状部材３２の周りを取り囲むように、長手方向の上方側、長手方向の下方側、幅方向の左方側及び幅方向の右方側の四方に形成されている。このゲートフレーム３１は、スロット１４に収容された状態において、長手方向の下方側、幅方向の左方側及び幅方向の右方側の三方の部位が、スロット１４のシール面１４ｃと対向して形成されている。ゲートフレーム３１は、その上部が、ピット設備１０のフロア面５にスペーサ３５を介して固定される。また、ゲートフレーム３１には、後述する上部押え金具２３、中間押え金具２４、下部押え金具２５の各ゲート側押え部材４１，４４，４８がそれぞれ取り付けられている。
【００４９】
波状部材３２は、長手方向の上方側から下方側に向かって、山部及び谷部が交互に形成される波状の部材である。この波状部材３２は、ゲートフレーム３１に溶接によって一体に固定されている。波状部材３２は、山部及び谷部が幅方向に延在して形成されており、高さ方向に隣接する山部同士の間のピッチ、換言すれば、長手方向に隣接する谷部同士の間のピッチが、長手方向の上方側から下方側に向かうにつれて狭く形成されている。これは、ピットゲート１５の波状部材３２に与えられる水圧は、長手方向の上方側に比して下方側の方が大きいからである。
【００５０】
シール部材２２は、ゲートフレーム３１に設けられ、スロット１４のシール面１４ｃと対向する位置に設けられている。つまり、シール部材２２は、ゲート本体２１（ゲートフレーム３１）の厚さ方向における一方側の面に設けられている。このシール部材２２は、ゲートフレーム３１に沿って設けられ、長手方向の下方側、幅方向の左右両側に連なって、Ｕ字状に配置されている。このため、シール部材２２は、Ｕ字状に形成されるスロット１４のシール面１４ｃに対し、シール面１４ｃの形状に沿って密着することが可能となる。
【００５１】
図４に示すように、シール部材２２は、内部に中空空間が形成されていない中実型のものであり、その断面が、シール面１４ｃ側に凸となる、略三角形状に形成されている。このシール部材２２は、例えば、シリコンゴムを用いて構成されている。
【００５２】
図５及び図６に示すように、上部押え金具２３は、ゲート本体２１（ゲートフレーム３１）の厚さ方向における他方側の面、すなわちシール部材２２とは反対側の面に設けられる一対の上部ゲート側押え部材（第１ゲート側押え部材）４１を含んで構成されている。一対の上部ゲート側押え部材４１は、ゲート本体２１の幅方向の両側に設けられている。各上部ゲート側押え部材４１は、長手方向の上方側から下方側に向かって薄くなるくさび形状に形成されている。上部ゲート側押え部材４１は、厚さ方向の一方側の面がゲート本体２１に取り付けられる取付面となっており、この取付面の反対側の面に、第１ゲート側傾斜面４２が形成されている。上部ゲート側傾斜面（第１ゲート側傾斜面）４２は、長手方向の上方側から下方側に向かって、シール部材２２側に傾斜している。上部ゲート側傾斜面４２は、ピットゲート１５のスロット１４への挿入時において、スロット１４に接触する。従って、ピットゲート１５がスロット１４へ挿入されると、上部押え金具２３は、上部ゲート側傾斜面４２がスロット１４に接触することで、ピットゲート１５を、シール部材２２側に移動させる。
【００５３】
図７及び図８に示すように、中間押え金具２４は、ゲート本体２１（ゲートフレーム３１）の幅方向両側から突出して設けられる一対の中間ゲート側押え部材（第２ゲート側押え部材）４４と、一対の中間ゲート側押え部材４４に接触する一対の中間スロット側押え部材（第２スロット側押え部材）４５とが設けられている。また、一対の中間スロット側押え部材４５は、対向する２つのシール面１４ｃに応じて２組設けられている。
【００５４】
一対の中間ゲート側押え部材４４は、水平方向を軸方向とする棒状に形成されている。各中間ゲート側押え部材４４は、円柱形状または円筒形状に形成されており、ゲート本体２１の波状部材３２を挟んで、シール部材２２の反対側に位置するゲートフレーム３１に固定されている。また、各中間ゲート側押え部材４４は、その軸中心が、ゲートフレーム３１の厚さ方向の中央に対し、シール部材２２の反対側に寄せて配置されている。
【００５５】
一対の中間スロット側押え部材４５は、スロット１４のシール面１４ｃに取り付けられており、スロット１４に収容されるピットゲート１５の幅方向の両側に配置されている。各中間スロット側押え部材４５は、長手方向の上方側から下方側に向かって厚くなるくさび形状に形成されている。各中間スロット側押え部材４５は、スロット１４のシール面１４ｃに取り付けられ、シール面１４ｃとは反対側の面に、中間スロット側傾斜面（第２スロット側傾斜面）４６が形成されている。中間スロット側傾斜面４６は、長手方向の上方側から下方側に向かって、シール部材２２側（スロット１４の内側）に傾斜している。中間スロット側傾斜面４６は、ピットゲート１５のスロット１４への挿入時において、ピットゲート１５の中間ゲート側押え部材４４に接触する。
【００５６】
また、一対の中間スロット側押え部材４５の１組と、一対の中間スロット側押え部材４５の他の１組とは、ピットゲート１５の厚さ方向（スロット１４の長さ方向）において対向する位置に設けられている。つまり、１組となる一対の中間スロット側押え部材４５は、第１ピット１１側のスロット１４のシール面１４ｃに設けられ、他の１組となる一対の中間スロット側押え部材４５は、第２ピット１２側のスロット１４のシール面１４ｃに設けられている。
【００５７】
従って、ピットゲート１５がスロット１４へ挿入されると、中間押え金具２４は、一対の中間ゲート側押え部材４４が、１組の一対の中間スロット側押え部材４５（の中間スロット側傾斜面４６）に接触することで、ピットゲート１５を、シール部材２２側に移動させる。
【００５８】
ここで、２つの中間押え金具２４は、ゲート本体２１の長手方向において、所定の間隔を空けて配置されている。２つの中間押え金具２４は、ピットゲート１５のスロット１４への挿入時において、相互に物理的に干渉しないように、中間ゲート側押え部材４４の形状、及び中間スロット側押え部材４５の配置が異なっている。
【００５９】
具体的に、長手方向の上方側の中間押え金具２４における一対の中間ゲート側押え部材４４は、長手方向の下方側の中間押え金具２４における一対の中間ゲート側押え部材４４に比して、軸方向における長さが長く形成されている。つまり、上方側の一対の中間ゲート側押え部材４４は、ゲート本体２１の幅方向における長さが長く形成され、下方側の一対の中間ゲート側押え部材４４は、ゲート本体２１の幅方向における長さが短く形成されている。また、長手方向の上方側の中間押え金具２４における一対の中間スロット側押え部材４５は、長手方向の下方側の中間押え金具２４における一対の中間スロット側押え部材４５に比して、ゲート本体２１の幅方向の外側に配置されている。つまり、上方側の一対の中間スロット側押え部材４５は、その間の幅方向における長さが長くなっており、下方側の一対の中間スロット側押え部材４５は、その間の幅方向における長さが短くなっている。
【００６０】
このため、ピットゲート１５がスロット１４へ挿入されると、下方側の一対の中間ゲート側押え部材４４は、上方側の一対の中間スロット側押え部材４５を回避する。この後、ピットゲート１５がスロット１４へさらに挿入されると、下方側の一対の中間ゲート側押え部材４４は、下方側の一対の中間スロット側押え部材４５に接触すると共に、上方側の一対の中間ゲート側押え部材４４は、上方側の一対の中間スロット側押え部材４５に接触する。
【００６１】
図９及び図１０に示すように、下部押え金具２５は、ゲート本体２１（ゲートフレーム３１）の長手方向の下方側から突出して設けられる下部ゲート側押え部材（第３ゲート側押え部材）４８と、下部ゲート側押え部材４８に接触する一対の下部スロット側押え部材（第３スロット側押え部材）４９とが設けられている。また、一対の下部スロット側押え部材４９は、対向する２つのシール面１４ｃに応じて２組設けられている。
【００６２】
下部ゲート側押え部材４８は、ゲート本体２１の幅方向に延びて設けられ、下方側に凸となる曲面を有する形状となっている。下部ゲート側押え部材４８は、ゲートフレーム３１の厚さ方向の中央に対し、シール部材２２の反対側に寄せて配置されている。
【００６３】
一対の下部スロット側押え部材４９は、スロット１４の底面１４ａ及びシール面１４ｃにより形成される角部に設けられ、スロット１４の幅方向に所定の間隔を空けて配置されている。また、一対の下部スロット側押え部材４９は、下部ゲート側押え部材４８の幅方向両側に対向する位置に設けられている。各下部スロット側押え部材４９は、長手方向の上方側から下方側に向かって厚くなるくさび形状に形成されている。各下部スロット側押え部材４９は、スロット１４の底面１４ａ及びシール面１４ｃに取り付けられ、シール面１４ｃとは反対側の面に、下部スロット側傾斜面（第３スロット側傾斜面）５０が形成されている。下部スロット側傾斜面５０は、長手方向の上方側から下方側に向かって、シール部材２２側（スロット１４の内側）に傾斜している。下部スロット側傾斜面５０は、ピットゲート１５のスロット１４への挿入時において、ピットゲート１５の下部ゲート側押え部材４８に接触する。
【００６４】
また、一対の下部スロット側押え部材４９の１組と、一対の下部スロット側押え部材４９の他の１組とは、ピットゲート１５の厚さ方向（スロット１４の長さ方向）において対向する位置に設けられている。つまり、１組となる一対の下部スロット側押え部材４９は、第１ピット１１側のスロット１４のシール面１４ｃに設けられ、他の１組となる一対の下部スロット側押え部材４９は、第２ピット１２側のスロット１４のシール面１４ｃに設けられている。
【００６５】
従って、ピットゲート１５がスロット１４へ挿入されると、下部押え金具２５は、下部ゲート側押え部材４８が、１組の一対の下部スロット側押え部材４９（の下部スロット側傾斜面５０）に接触することで、ピットゲート１５を、シール部材２２側に移動させる。
【００６６】
ここで、中間押え金具２４は、２組となる一対の中間スロット側押え部材４５を有し、また、下部押え金具２５は、２組となる一対の下部スロット側押え部材４９を有している。これは、ピットゲート１５を第１ピット１１側のスロット１４のシール面１４ｃに密着させる場合と、ピットゲート１５を第２ピット１２側のスロット１４のシール面１４ｃに密着させる場合とで、ピットゲート１５の位置を１８０度異ならせて入れ替えるからである。つまり、ピットゲート１５を第１ピット１１側のスロット１４のシール面１４ｃに密着させる場合、中間押え金具２４において、第２ピット１２側の一対の中間スロット側押え部材４５が用いられ、下部押え金具２５において、第２ピット１２側の一対の下部スロット側押え部材４９が用いられる。一方で、ピットゲート１５を第２ピット１２側のスロット１４のシール面１４ｃに密着させる場合、中間押え金具２４において、第１ピット１１側の一対の中間スロット側押え部材４５が用いられ、下部押え金具２５において、第１ピット１１側の一対の下部スロット側押え部材４９が用いられる。
【００６７】
このように形成される上部押え金具２３、２つの中間押え金具２４及び下部押え金具２５は、上部ゲート側傾斜面４２、中間スロット側傾斜面４６及び下部スロット側傾斜面５０の傾斜角度が同じ傾斜角度となっている。ここで、傾斜角度は、高さ方向に直交する水平面に対する傾斜角度である。上部ゲート側傾斜面４２、中間スロット側傾斜面４６及び下部スロット側傾斜面５０の傾斜角度を同じ傾斜角度にすると、上部押え金具２３、２つの中間押え金具２４及び下部押え金具２５によって、シール部材２２側に移動するピットゲート１５の移動量が同じ移動量となる。すなわち、ピットゲート１５の高さ方向における移動量に応じたシール部材２２側への移動量が、上部押え金具２３、２つの中間押え金具２４及び下部押え金具２５において、同じ移動量となる。なお、上部押え金具２３、２つの中間押え金具２４及び下部押え金具２５は、ピットゲート１５の長手方向において、不等間隔となっている。これは、ゲート本体２１の波状部材３２における山部同士のピッチ間隔が不等であるからである。
【００６８】
次に、図１１を参照して、スロット１４にピットゲート１５を収容するピットゲート１５の設置方法について説明する。図１１は、ピットゲートの設置方法に関する説明図である。図１１に示すように、ピットゲート１５の設置前において、ピット設備１０の第１ピット１１及び第２ピット１２は、用水が満たされた状態となっている（ステップＳ１００）。このとき、ピットゲート１５が設置されていないことから、第１ピット１１及び第２ピット１２の水位は、同じ高さとなっている。
【００６９】
Ｓ１００の状態において、ピット設備１０の第２ピット１２に満たされた用水を水抜きする場合、ピットゲート１５は、シール部材２２が設けられている面を第２ピット１２側に向けて、スロット１４に収容される。すると、ピットゲート１５は、上部押え金具２３、２つの中間押え金具２４及び下部押え金具２５により、シール部材２２側に移動することから、第２ピット１２側に移動する。このため、ピットゲート１５のシール部材２２は、第２ピット１２側のスロット１４のシール面１４ｃに接触する（ステップＳ１０１）。この後、ピットゲート１５は、スペーサ３５を介して、ピット設備１０のフロア面５に固定される。なお、固定後のピットゲート１５において、中間押え金具２４の中間ゲート側押え部材４４は、中間スロット側押え部材４５の中間スロット側傾斜面４６に対して、途中の位置、つまり、中間スロット側傾斜面４６の上方側の縁部と下方側の縁部との間の位置となっている。このため、中間ゲート側押え部材４４は、中間スロット側傾斜面４６に対して、高さ方向の下方側に移動可能な余地がある。同様に、下部押え金具２５の下部ゲート側押え部材４８は、下部スロット側押え部材４９の下部スロット側傾斜面５０に対して、途中の位置、つまり、下部スロット側傾斜面５０の上方側の縁部と下方側の縁部との間の位置となっている。このため、下部ゲート側押え部材４８は、下部スロット側傾斜面５０に対して、高さ方向の下方側に移動可能な余地がある。
【００７０】
Ｓ１０１の状態において、第２ピット１２に満たされた用水を水抜きすることで、ピットゲート１５は、第１ピット１１に満たされた用水からの水圧が与えられ、スロット１４のシール面１４ｃに密着する（ステップＳ１０２）。
【００７１】
なお、上記では、第２ピット１２の水抜きを行う場合について説明したが、第１ピット１１の水抜きを行う場合には、シール部材２２が設けられている面を第１ピット１１側に向けて、ピットゲート１５をスロット１４に収容する。また、ピットゲート１５は、スペーサ３５を介してフロア面５に固定されるが、スペーサ３５は、シール部材２２のスロット１４側への突出状態に応じて、その高さを調整してもよい。つまり、シール部材２２のスロット１４側への突出長さが短い場合には、スペーサ３５の高さを低くすることで、スロット１４に対するピットゲート１５の高さ方向における挿入量（移動量）を大きくし、これにより、シール部材２２側への移動量を大きくすることができる。これは、中間ゲート側押え部材４４及び下部ゲート側押え部材４８が、高さ方向の下方側に移動可能な余地を残しているからである。このように、スペーサ３５の高さを調整することで、シール部材２２の劣化具合に応じて、スロット１４のシール面１４ｃへの密着性を調整することができる。
【００７２】
以上のように、本実施例によれば、鉛直方向の上方側から下方側に向かって、スロット１４にピットゲート１５を収容すると、ピットゲート１５は、上部ゲート側傾斜面４２、中間スロット側傾斜面４６及び下部スロット側傾斜面５０に沿ってシール部材２２側に移動する。このため、上部押え金具２３、中間押え金具２４及び下部押え金具２５により、鉛直方向に亘って、ピットゲート１５をシール部材２２側に好適に移動させることができる。このため、上部押え金具２３、中間押え金具２４及び下部押え金具２５により、簡易な構成となるピットゲート１５をシール部材２２側に好適に移動させることができるため、シール部材２２をスロット１４に適切に密着させることができる。よって、ゲート本体２１とスロット１４との間を、シール部材２２により水密に封止することができるため、第１ピット１１及び第２ピット１２からの用水の漏出を抑制することができる。
【００７３】
また、本実施例によれば、上部ゲート側傾斜面４２、中間スロット側傾斜面４６及び下部スロット側傾斜面５０を同じ傾斜角度とすることで、ピットゲート１５の鉛直方向の移動量に対する、ピットゲート１５のシール部材２２側への移動量を、上部押え金具２３、中間押え金具２４及び下部押え金具２５において、同じ移動量とすることができる。このため、ピットゲート１５の鉛直方向に亘って、ピットゲート１５のスロット１４側への押付力を、均等にすることができる。
【００７４】
また、本実施例によれば、シール部材２２を、スロット１４側に凸となる断面形状とすることで、スロット１４に密着させ易い形状にすることができる。
【００７５】
また、本実施例によれば、中間ゲート側押え部材４４を、ゲート本体２１の厚さ方向の中央に対して、シール部材２２の反対側に配置することで、中間スロット側押え部材４５側に近づけて配置することができるため、中間ゲート側押え部材４４のシール部材２２側への移動量を適切に確保することができる。
【００７６】
また、本実施例によれば、一対の中間スロット側押え部材４５及び一対の下部スロット側押え部材４９をそれぞれ２組設けることで、ピットゲート１５の位置を入れ替えることができるため、第１ピット１１の水抜き及び第２ピット１２の水抜きを行うことが可能となる。
【００７７】
また、本実施例によれば、中間押え金具２４を、鉛直方向に亘って複数設ける場合であっても、中間ゲート側押え部材４４の軸方向における長さを、上方側と下方側とにおいて異ならせると共に、中間スロット側押え部材４５の幅方向における配置を、上方側と下方側とにおいて異ならせることで、中間押え金具２４同士の物理的な干渉を回避することができる。
【００７８】
また、本実施例によれば、波状部材３２の山部同士の間のピッチを、下方側に向かうにつれて狭くすることで、ピットゲート１５を、水圧に好適に耐え得る構成とすることができる。
【００７９】
また、本実施例によれば、簡易な構成となるピットゲート１５を用いて、水路１３を水密に仕切ることができる。このため、第１ピット１１及び第２ピット１２のうち、一方のピットが水抜きされる場合であっても、用水が満たされる他方のピットから用水が漏出することを抑制することができる。また、用水が満たされる他方のピットにおいて、原子力施設で用いられる燃料を好適に取り扱うことができる。
【００８０】
また、本実施例によれば、スロット１４に対するピットゲート１５の位置を、水抜き予定となる第１ピット１１または第２ピット１２に応じた位置にして、スロット１４に収容することで、簡単に水路１３を仕切ることができる。
【００８１】
なお、本実施例では、上部押え金具２３、２つの中間押え金具２４及び下部押え金具２５を適用したが、特に限定されず、いずれかの押え金具２３，２４，２５を用いればよい。つまり、上部押え金具２３、中間押え金具２４及び下部押え金具２５を単体で用いてもよいし、上部押え金具２３、中間押え金具２４及び下部押え金具２５を複数用いてもよいし、上部押え金具２３、中間押え金具２４及び下部押え金具２５を適宜組み合わせて用いてもよい。
【００８２】
また、本実施例では、シール部材２２の断面形状を、略三角形状としたが、この形状に特に限定されず。シール面１４ｃに密着可能な形状であれば、いずれの形状であってもよい。
【符号の説明】
【００８３】
１  原子力施設
５  フロア面
１０  ピット設備
１１  第１ピット
１２  第２ピット
１３  水路
１４  スロット
１５  ピットゲート
２１  ゲート本体
２２  シール部材
２３  上部押え金具
２４  中間押え金具
２５  下部押え金具
３１  ゲートフレーム
３２  波状部材
３５  スペーサ
４１  上部ゲート側押え部材
４２  上部ゲート側傾斜面
４４  中間ゲート側押え部材
４５  中間スロット側押え部材
４６  中間スロット側傾斜面
４８  下部ゲート側押え部材
４９  下部スロット側押え部材
５０  下部スロット側傾斜面
【図１】
0006596198.tif 000002
【図２】
0006596198.tif 000003
【図３】
0006596198.tif 000004
【図４】
0006596198.tif 000005
【図５】
0006596198.tif 000006
【図６】
0006596198.tif 000007
【図７】
0006596198.tif 000008
【図８】
0006596198.tif 000009
【図９】
0006596198.tif 000010
【図１０】
0006596198.tif 000011
【図１１】
0006596198.tif 000012